(57)【特許請求の範囲】
【請求項１】
成分（Ａ）〜成分（D）、すなわち
（Ａ）炭素数８〜２４の高級脂肪酸塩を３０〜６０質量％と、
（Ｂ）カチオン性架橋ビニル共重合体であるポリクオタニウム−５２と、
（Ｃ）ポリエチレングリコールと、
（Ｄ）ソルビトールを含有するペースト状皮膚洗浄料組成物。
【発明の詳細な説明】
【技術分野】
【０００１】
本発明は、泡のつや、泡密度、洗い上がり後のしっとり感が良好な、ペースト状洗浄料組成物に関する。
【背景技術】
【０００２】
高級脂肪酸セッケンを主洗浄料とするペースト状洗浄料組成物は、洗浄力と、洗い上がり後のさっぱり感を特徴としており、広く上市されている。かかるペースト状洗浄料組成物には保湿剤を添加することが一般的であり、ソルビトール、マルチトール、ポリエチレングリコール、１，３−ブチレングリコール、グリセリン、ジプロピレングリコール、プロピレングリコールなどが配合される（非特許文献１参照）
またカチオン性高分子は特に毛髪用洗浄料の泡質を改善し、洗いあがり後のきしみ感を改善するために用いられている（特許文献１参照）。
【先行技術文献】
【非特許文献】
【０００３】
【非特許文献１】新化粧品学第２版（南山堂）第３５０ページ（２００１年発行）
【特許文献】
【０００４】
【特許文献１】特開２００８−１８４４２４号公報
【発明の開示】
【発明が解決しようとする課題】
【０００５】
従来の高級脂肪酸セッケンを主洗浄料とするペースト状洗浄料組成物は、泡のきめが粗く泡にコシが無い、洗い上がりが突っ張る、という問題点があった。そこで本発明においては、高級脂肪酸石鹸の特長である洗浄力と洗い上がり後のさっぱり感はそのままに、泡が細かくコシ、つやがあり、洗い上がり後しっとり感を有するペースト状洗浄料組成物を提供することを目的とした。
【課題を解決するための手段】
【０００６】
本発明は、成分（Ａ）〜成分（D）、すなわち（Ａ）高級脂肪酸塩と、（Ｂ）カチオン性架橋ビニル共重合体と、（Ｃ）ポリエチレングリコールと、（Ｄ）ソルビトールを含有するペースト状洗浄料組成物に関する。
【発明の効果】
【０００７】
本発明のペースト状洗浄料組成物は、洗浄力と洗い上がり後のさっぱり感が良好で、泡が細かくコシ、つやがあり、洗い上がり後しっとり感を有する。
【発明を実施するための形態】
【０００８】
本発明のペースト状洗浄料組成物は、成分（Ａ）〜成分（D）、すなわち（Ａ）高級脂肪酸塩と、（Ｂ）カチオン性架橋ビニル共重合体と、（Ｃ）ポリエチレングリコールと、（Ｄ）ソルビトールを含有する。これらの成分に関し、個々に説明する。
【０００９】
本発明で用いる成分（Ａ）高級脂肪酸塩を構成する高級脂肪酸としては、飽和又は不飽和のいずれであってもよく、炭素数８〜２４、特に１０〜２２のものが好ましい。好ましいものの具体例としては、ラウリン酸、ミリスチン酸、パルミチン酸、ステアリン酸、イソステアリン酸、オレイン酸、ヒドロキシステアリン酸、ヒドロキシデセン酸、ヤシ油脂肪酸、還元ヤシ油脂肪酸、牛脂脂肪酸、還元牛脂脂肪酸、パーム核脂肪酸などが上げられる。これらの高級脂肪酸と塩を形成するアルカリ剤としては、ナトリウム、カリウムなどのアルカリ金属塩、アンモニウム塩、モノエタノールアミン塩、ジエタノールアミン塩、トリエタノールアミン塩、２−アミノ−２−メチルプロパノール、２−アミノ−２−メチルプロパンジオールなどのアルカノールアミン塩、リジン、アルギニンなどの塩基性アミノ酸塩等が挙げられる。これらのうち、特にカリウム、アルギニンが好ましい。
【００１０】
また、これらの高級脂肪酸塩は、必ずしも脂肪酸塩としてペースト状洗浄料組成物に配合する必要はなく、上記高級脂肪酸と塩基とをそれぞれ別個に添加し、組成物中で脂肪酸塩を形成せしめてもよい。
【００１１】
これらの高級脂肪酸塩は、１種又は２種以上を組み合わせて用いることができ、ペースト状洗浄料組成物全量に対し３０〜６０質量％配合される。３０質量％未満では充分な洗浄力が得られず、６０質量％を超えると結晶の析出などの問題を生じるので好ましくない。
【００１２】
本発明で用いる成分（Ｂ）カチオン性架橋ビニル共重合体としては、分子中にカチオン性基と架橋構造とを有するものであれば特に制限されないが、例えば特開平１１−７１４３５号公報に記載のカチオン性基含有共重合体が挙げられる。特に、（ａ）カチオン性基含有不飽和単量体の少なくとも１種と、（ｂ）アミド基含有不飽和単量体の少なくとも１種、及び（ｃ）分子中に２以上の不飽和基を有する架橋性不飽和単量体の少なくとも１種を必須単量体とする単量体混合物を重合してなる、これら単量体に由来する構成単位を有する架橋ビニル共重合体が好ましい。
【００１３】
（ａ）のカチオン性基含有不飽和単量体としては、ジアルキルアミノアルキル基を有する（メタ）アクリル酸エステル類又は（メタ）アクリルアミド類；ジアルキルアミノ基を有するスチレン類、ビニルピリジン類、Ｎ−ビニル複素環化合物類；更にこれらアミノ基を有する単量体の酸中和物又は４級アンモニウム塩、（メタ）アクリロイルアルキルトリアルキル４級アンモニウム塩類、ジアリルジアルキル４級アンモニウム塩などが挙げられる。
【００１４】
酸中和物を得るための好ましい酸としては、塩酸、硫酸、酢酸、クエン酸、コハク酸、アジピン酸、スルファミン酸などが挙げられ、４級アンモニウム塩を得るための好ましい４級化剤としては、塩化メチル、ヨウ化メチル等のハロゲン化アルキル、硫酸ジメチル、硫酸ジエチル、硫酸ジ−Ｎ−プロピル等の硫酸アルキルが挙げられる。 
【００１５】
単量体（ａ）の好ましい具体例としては、ジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミド、及びこれらを前記の４級化剤で４級化した４級アンモニウム塩、あるいはジメチルジアリルアンモニウムクロライド等が挙げられる。
【００１６】
（ｂ）のアミド基含有不飽和単量体としては、Ｎ−モノアルキル（メタ）アクリルアミド類、Ｎ，Ｎ−ジアルキル（メタ）アクリルアミド類、Ｎ−（メタ）アクリロイルモルホリン、Ｎ−ビニルピロリドン、Ｎ−ビニルピペリドン等が挙げられる。
【００１７】
単量体（ｂ）の好ましい具体例としては、Ｎ−メチル（メタ）アクリルアミド、Ｎ，Ｎ−ジメチル（メタ）アクリルアミド、Ｎ，Ｎ−ジエチル（メタ）アクリルアミド、Ｎ−ｎ−プロピル（メタ）アクリルアミド、Ｎ−ｔ−ブチルアクリルアミド、Ｎ−（メタ）アクリロイルモルホリン、Ｎ−ビニルピロリドン等が挙げられる。中でも、Ｎ，Ｎ−ジ置換アクリルアミドを用いた場合に使用感が好ましく、特にＮ，Ｎ−ジメチル（メタ）アクリルアミド、Ｎ，Ｎ−ジエチル（メタ）アクリルアミド等が好ましい。
【００１８】
（ｃ）の分子中に２以上のビニル基を有する架橋性不飽和単量体としては、多価アルコール又は不飽和アルコールの（メタ）アクリル酸エステル類、ビス（メタ）アクリルアミド類、ジビニル化合物、ポリアリル化合物等が挙げられる。具体的には、エチレングリコールジ（メタ）アクリレート、ポリエチレングリコールジ（メタ）アクリレート、ペンタエリスリトールテトラ（メタ）アクリレート、ジビニルベンゼン、ジビニルエーテル、ペンタエリスリトールのアリルエーテル化体、ビニル（メタ）アクリレート、アリル（メタ）アクリレート等が、特に好ましい。
【００１９】
単量体（ａ）、（ｂ）及び（ｃ）は、それぞれ１種以上を用いることができる。
【００２０】
単量体（ａ）と単量体（ｂ）の共重合比率は、（ａ）／（ｂ）のモル比で、２／９８〜９８／２、特に３／９７〜６０／４０であるのが、皮膚への塗布時の使用感を有し、塗布後の皮膚になめらかな感触を付与できる共重合体を提供するために好ましい。
【００２１】
また、単量体（ｃ）の割合は、単量体全量中０．００２〜５質量％、特に０．００２〜３質量％、更には０．００２〜１質量％であるのが、ペースト状洗浄料組成物として適度な粘性と保形性を与える共重合体を提供するために好ましい。
【００２２】
本発明で用いるカチオン性架橋ビニル共重合体は、これらの単量体のほか、更にこれらと共重合可能な他の不飽和単量体を構成成分とすることができる。他の単量体としては、例えばメチル（メタ）アクリレート、エチル（メタ）アクリレート、ポリエチレングリコール（メタ）アクリレート等の（メタ）アクリル酸エステル類；アクリル酸、メタアクリル酸；Ｎ−３（−スルホプロピル）−Ｎ−アクリロイルオキシエチル−Ｎ，Ｎ−ジメチルアンモニウムベタイン、Ｎ−カルボキシメチル−Ｎ−メタクリロイルオキシエチル−Ｎ，Ｎ−ジメチルアンモニウムベタイン等のベタイン類などが挙げられる。
【００２３】
本発明で用いる（Ｂ）カチオン性架橋ビニル共重合体は、これらの単量体を用いて、常法により、例えば、水溶液重合法、逆相懸濁重合法、沈殿重合法等の方法により製造することができる。市販品としてポリクオタニウム−５２（ソフケアＫＧ−３１０Ｗ、花王）を用いることができる。
【００２４】
本発明において（Ｂ）カチオン性架橋ビニル共重合体は１種以上を用いることができ、本発明のペースト状洗浄料組成物中の含有量は、０．００５〜０．１質量％、特に０．０１〜０．１質量％であるのが好ましい。１質量％以上配合すると、曳糸性が高くなりチューブ容器へのバルクの充填が困難になる場合がある。０．００５質量％未満の配合では、泡質の低下が見られたり、洗いあがりのしっとり感に影響を及ぼす場合がある。
【００２５】
本発明で用いる成分（Ｃ）ポリエチレングリコールとしては、通常洗浄料組成物に配合しうるポリエチレングリコールであれば特に限定されない。ポリエチレングリコールの平均重合度は、４〜５０の範囲、特に４〜４０の範囲が好ましい。平均重合度が４未満では良好な洗い上がり後のしっとり感を得ることが困難になる場合がある。平均重合度が５０を超えるとペーストの硬度が高くなりすぎて洗浄料に向かなくなる場合がある。本発明においてはポリエチレングリコールを１〜１０質量％配合する。配合量が１質量％未満の場合、良好な洗い上がり後のしっとり感を得ることが困難になる場合がある。１０質量％を超えて配合してもこれ以上のしっとり感を得ることができずべたつきを生じる場合がある。
【００２６】
本発明で用いる成分（Ｄ）ソルビトールとしては、通常洗浄料に配合しうるソルビトールであれば特に限定されない。本発明においてはソルビトールを１〜１０質量％配合する。１質量％未満の場合、泡のつや、泡の密度などの泡質や洗い上がりのしっとり感に問題が生じる場合がある。１０質量％を超えて配合しても、これ以上の泡質改善効果が得られない場合がある。
【００２７】
本発明のペースト状皮膚洗浄料組成物には、上述の必須成分の他に、必要に応じて、通常、医薬品、医薬部外品、皮膚化粧料に配合される、水性成分、油性成分、保湿剤、色素、乳化剤、可溶化剤、紫外線吸収剤、増粘剤、薬剤、香料、樹脂、防菌防黴剤、アルコール類等を適宜配合することができる。
【実施例】
【００２８】
さらに実施例により、本発明の特徴について詳細に説明する。
【００２９】
表１、表２に示す処方にて定法によりペースト状皮膚洗浄料組成物を調製し、使用感の評価を行った。なお表中ＰＥＧはポリエチレングリコールの略であり、その後の数字は平均重合度を表す。使用感評価の結果、ポリエチレングリコールを配合していない比較例１は、洗い上がりのしっとり感に欠ける使用感であった。ソルビトールを配合していない比較例２は、泡質が良くなく、洗い上がりのしっとり感に欠ける使用感であった。カチオン性架橋ビニル共重合体であるポリクオタニウム−５２を配合していない比較例３は、泡密度が低下してきめの粗い泡質となり、しっとり感に欠ける使用感であった。これら比較例に対し、本願発明の実施例１〜５は、洗浄力と洗い上がり後のさっぱり感が良好で、泡が細かくコシ、つやがあり、洗い上がり後しっとり感を有する使用感であった。
【００３０】
【表１】
0005610817.tif 000002
【００３１】
【表２】
0005610817.tif 000003
【００３２】
［実施例６］  ペースト状洗浄料組成物
(１)精製水                                                  ３１．９７量％)
(２)グリセリン                                              １０．００
(３)１，３−ブチレングリコール                              １０．００
(４)ソルビトール                                              ５．００
(５)ＰＥＧ−２０                                              ５．００
(６)水酸化カリウム                                            ５．００
(７)ポリクオタニウム−５２                                    ０．０３
(８)ＰＯＥ（２０）グリセロール
モノステアリン酸エステル                               ２．００
(９)ステアリン酸                                            １２．００
(10)ミリスチン酸                                            １４．００
(11)ラウリン酸                                                ５．００
製法
(１)〜(７)の水相成分と(７)〜(11)の油相成分をそれぞれ７５℃に加熱、混合、均一化した後、水相に油相を添加してけん化後冷却する。
【００３３】
実施例６で得られたペースト状洗浄料組成物は、洗浄力と洗い上がり後のさっぱり感が良好で、泡が細かくコシ、つやがあり、洗い上がり後しっとり感を有する使用感であった。